(57)【要約】【課題】様々な形状の土台水切りに適用が可能であり、かつ、長期に渡り安定して土台水切りに固定され、更に、施工作業の利便性に優れた土台水切り用エンドキャップと、これを用いた施工構造を提供すること。【解決手段】土台水切りの背板部１０１の側端部近傍に固定され、固定用の穴４と分離用溝部５とを有する固定板部２と、該固定板部２内で前方に突出し、土台水切りの支承板部１０５の外周に沿う形状である突出部３と、該固定板部２より斜め下方に形成され、上記土台水切りの側端部に形成される開口部を閉塞する被覆部１とを備えている、AES樹脂で形成された土台水切り用エンドキャップ。上記土台水切り用エンドキャップが、固定板部２に設けた固定用の穴４にビス又は釘Ｃが打ち込まれて固定されている、又は、固定板部２に設けた分離用溝部５により２分割されて被覆部１のみが接着剤により土台水切りの側面に固定されている土台部施工構造。【選択図】図８
0003127940.tif 000002
【実用新案登録請求の範囲】
【請求項１】
土台水切りの側端部近傍に配される固定板部と、該土台水切りの側端部に形成される開口部を閉塞させる被覆部とから成る土台水切り用エンドキャップ。
【請求項２】
請求項1に記載の土台水切り用エンドキャップであり、
上記固定板部と上記被覆部は連接一体化されており、土台水切りのほぼ側面視形状に形成されている土台水切り用エンドキャップ。
【請求項３】
請求項２に記載の土台水切り用エンドキャップであり、
上記固定板部の下端近傍部に水平方向に走る分離用溝部が形成されている土台水切り用エンドキャップ。
【請求項４】
請求項３に記載の土台水切り用エンドキャップであり、
上記固定板部は上記分離用溝部に沿って切断可能なように樹脂で形成されている土台水切り用エンドキャップ。
【請求項５】
建築物の土台部に土台水切りと請求項１乃至４のいずれか１項に記載の土台水切り用エンドキャップとが配設されており、
上記土台水切りの背板部の側端部近傍に上記土台水切り用エンドキャップの固定板部が配されており、
上記土台水切り用エンドキャップの被覆部が上記土台水切りの側端部に形成される開口部を閉塞させており、
上記土台水切り用エンドキャップはビスまたは釘が打ち込まれて上記土台水切りに固定されている建築物の土台部施工構造。
【請求項６】
建築物の土台部に土台水切りが配設されており、
請求項３又は４に記載の土台水切り用エンドキャップが固定板部に設けた分離用溝部で２分割されて、該土台水切り用エンドキャップの被覆部が上記土台水切りの側端部に形成される開口部を閉塞させており、
上記土台水切り用エンドキャップの被覆部が接着剤により上記土台水切りに固定されている建築物の土台部施工構造。
【考案の詳細な説明】
【技術分野】
【０００１】
本考案は、建築物の土台部に配設され、外壁材の表面を伝って流下してきた雨水を前方へ排出する土台水切りの側端部に形成される開口部を閉塞する土台水切り用エンドキャップ、及びこれを用いた土台部施工構造に関する。
【背景技術】
【０００２】
土台水切りは水平方向に長い形状であり、一般に金物又は樹脂で形成されている。従来から土台水切りは建築物の土台部に配設され、外壁材の表面を伝って流下してきた雨水を前方へ排出する為に使用されている。また、外壁材と構造躯体の間に通気層を確保する機能を併せ持つ構造の土台水切りも使用されている。
【０００３】
土台水切りの一例Ｂ１を図１４に示す。土台水切りＢ１は、建築物の構造躯体に固定する背板部１０１と、該背板部１０１の下方において前方斜め下方へ屈曲した水切り板部１０２と、該水切り板部１０２の前端から下方へ屈曲した前板部１０３とを有する。該土台水切りＢは最下段の外壁材を固定する留め付け金具或いはスターター金具と共に建築物の土台部に配設される。
【０００４】
また、鼠等の小動物の侵入を防ぐ機能を有した土台水切りＢ２を図１７に示す。土台水切りＢ２は、建築物の構造躯体に固定する背板部１０１と、該背板部１０１の下方において前方斜め下方へ屈曲した水切り板部１０２と、該水切り板部１０２の前端から下方へ屈曲した前板部１０３と、該前板部１０３の後方であって該水切り板部１０２の下方に、上記前板部１０３と建築物の土台の前面との間における下方隙間部から空気を取り入れて土台部の通気を図ると共に、鼠等の小動物の侵入を防ぐカバー板部１０４とを有する。該土台水切りＢ２も同じく留め付け金具或いはスターター金具と共に建築物の土台部に配設される。
【０００５】
更に、外壁材を支持する機能と鼠等の小動物の侵入を防ぐ機能とを有した土台水切りＢ３を図２０に示す（特許文献１）。土台水切りＢ３は、建築物の構造躯体に固定する背板部１０１と、該背板部１０１の下方において前方斜め下方へ屈曲した水切り板部１０２と、該水切り板部１０２の前端から下方へ屈曲した前板部１０３と、上記水切り板部１０２の上方において上記背板部１０１から前方へ立設され胴縁等の下地材、留め付け金具或いはスターター金具を支承するための支承板部１０５と、該前板部１０３の下方に設けた前面を化粧面とする化粧板部１０６とを備えた水切り本体と、上記化粧板部１０６に取り付けられ、上記前板部１０３と上記建築物の土台の前面との間における下方隙間部から空気を取り入れて土台部の通気を図ると共に、鼠等の小動物の侵入を防ぐカバー部材１０７とを有し、該カバー部材１０７は、上記化粧板部１０６に接続するための接続部と、上記下方隙間部を塞ぐ閉塞部とを有し、該閉塞部は可撓性を有する樹脂により形成されており、かつ、上記閉塞部には、上下に貫通した排水通気穴が設けてある。該土台水切りＢ３も同じく建築物の土台部に配設される。
【０００６】
しかし、上述したＢ１〜Ｂ３のいずれの土台水切りを用いても上記土台水切りの側面側の端縁を外壁材の端縁と合致させることは困難であり、外観が悪い。また、玄関など人の出入りがある場所では、土台水切りの側面側の端縁が外壁材の端縁より突出していると、外観が悪いばかりでなく、怪我の原因になる等の問題も発生している。更に、土台水切りの側端部に形成された開口部から水や小動物が侵入する問題がある。
【０００７】
その改善策として、土台水切りの側面側をカバーする土台水切り用エンドキャップが用いられている。図１５、図１８に従来から使用されている土台水切り用エンドキャップＡを示す。
【０００８】
図１５は、図１４の土台水切りＢ１に用いられる土台水切り用エンドキャップＡ１を示す。(a)、(b)はそれぞれ、該土台水切りエンドキャップＡ１の正面斜め右からの斜視図、正面斜め左からの斜視図を示している。該土台水切り用エンドキャップＡ１は、該土台水切りＢ１の水切り板部１０２に平行な水切り外板２０１と、該水切り外板２０１の前端から該土台水切りＢ１の前板部１０３に沿って下方に延びた垂下外板２０３と、該水切り外板２０１に平行な水切り内板２０２と、該垂下外板２０３に平行な垂下内板２０４と、水切り外板２０１、垂下外板２０３、水切り内板２０２と垂下内板２０４を繋ぐキャップ板部２０５とを有し、該土台水切りＢ１の水切り板部１０２と前板部１０３の端縁を包み込む形状である。該土台水切り用エンドキャップＡ１を該土台水切りＢ１の水切り板部１０２と前板部１０３の端縁に差し込み、該土台水切りＢ１の水切り板部１０２と前板部１０３の端縁のみを覆う。
上記土台水切りＢ１と上記土台水切り用エンドキャップＡ１を用いた土台部施工構造を図１６に示す。上記土台水切り用エンドキャップＡ１を用いることで土台水切りＢ１の側面側の端縁は覆われ、外観の向上や怪我の防止等の効果がある。
【０００９】
図１８は図１７の土台水切りＢ２に用いられる土台水切り用エンドキャップＡ２を示す。(a)、(b)、(c)はそれぞれ、該土台水切りエンドキャップＡ２の正面図、正面斜め右からの斜視図、左側面図を示している。該土台水切り用エンドキャップＡ２は、土台水切りＢの水切り板部１０２と、前板部１０３と、カバー板部１０４と土台とで形成された開口部を覆う事が可能な大きさ、形状のカバー部２０７と、該開口部に差し込む差し込み部２０６とを有する。該差し込み部２０６を、該開口部に差し込み、該カバー部２０７により該開口部を閉塞する。
上記土台水切りＢ２と上記土台水切り用エンドキャップＡ２を用いた土台部施工構造を図１９に示す。上記土台水切り用エンドキャップＡ２を用いることで土台水切りＢ２の側端部に形成された開口部は閉塞され、外観の向上、怪我の防止や土台水切りの強度向上だけでなく、側端部に形成された開口部からの水や小動物の侵入を防ぐ効果がある。
【特許文献１】特開２００３−１６０９７９号公報
【考案の開示】
【考案が解決しようとする課題】
【００１０】
しかしながら、上述した従来の土台水切り用エンドキャップＡ１、Ａ２はいずれも土台水切りの側面側から差し込む構造であり、土台水切りを建築物土台部に配設する前に取り付けておく必要がある。そのため、土台水切りを建築物土台部に取り付けた後では取り付けることが困難である。
また、取り付けた土台水切り用エンドキャップＡ１、Ａ２は差し込むだけであるので固定力は弱く、土台水切り用エンドキャップＡ１、Ａ２が外れる懸念もある。
【００１１】
更に、図２０に示した、外壁材を支持する機能と鼠等の小動物の侵入を防ぐ機能とを有した土台水切りに対しては、断面形状が複雑であり、適用する土台水切り用エンドキャップが製作しづらい。
【００１２】
本考案は、外壁材を支持する機能と鼠等の小動物の侵入を防ぐ機能とを有した土台水切りをも含む、様々な形状の土台水切りに適用が可能であり、かつ、長期に渡り安定して土台水切りに固定され、更に、施工作業の利便性に優れた土台水切り用エンドキャップと、これを用いた施工構造を提供することを目的とするものである。
【課題を解決するための手段】
【００１３】
上記課題を解決するために、本請求項１に記載の考案は、土台水切り用エンドキャップが、土台水切りの側端部近傍に配される固定板部と、該土台水切りの側端部に形成される開口部を閉塞させる被覆部とから成る事を特徴とする。
上記固定板部としては、平板形状が好ましい。
上記被覆部としては、建築物の構造躯体に固定される背板部と、該背板部の下端より前方斜め下方に屈曲した水切り板部と、該水切り板部の前端部から下方に屈曲した前板部とから成る、水平方向に長い土台水切りの場合には、土台水切りの水切り板部に沿って斜め前下方に延びた水切り面部と、該水切り面部の前端部から上記土台水切りの前板部に沿って下方に延びた前面部と、該水切り面部と該前面部の端部と繋がっており、かつ、側面視で上記土台水切りの水切り板部、前板部と土台により形成される開口部を覆う被覆面部とを有し、前面部の対向面には面部を有さない形状などがある。
背板部と、水切り板部と、前板部と、該前板部の下端部から土台に向かって延びたカバー板部とから成る土台水切りの場合には、上記被覆部としては、水切り面部と、前面部と、該前面部の下端部から上記土台水切りのカバー板部に沿って土台にまで延びた底面部と、該水切り面部、該前面部、該底面部の端部と繋がっており、かつ、側面視で該土台水切りの該水切り板部、該前板部、該カバー板部と土台により形成される開口部を覆う被覆面部とを有し、前面部の対向面には面部を有さない形状などがある。
背板部と、水切り板部と、前板部と、カバー板部と、該前板部と該カバー板部の間に形成された化粧板部とから成る土台水切りの場合には、上記被覆部としては、水切り面部と、該水切り面部の前端部から上記土台水切りの前板部と化粧板部に沿って下方に延びた前面部と、底面部と、該水切り面部、該前面部、該底面部の端部と繋がっており、かつ、側面視で該土台水切りの該水切り板部、該前板部、該化粧板部、該カバー板部と土台により形成される開口部を覆う被覆面部とを有し、前面部の対向面には面部を有さない形状などがある。
本考案の形状を有することにより、土台水切り用エンドキャップを前面から取り付ける事ができると共に、土台水切りの側端部に形成される開口部を確実に覆う事が可能になる。
また、ビスまたは釘で土台水切り用エンドキャップの固定板部を土台水切りの背板部を介して土台構造躯体に固定する事が可能であり、土台水切り用エンドキャップの固定が安定する。予め、固定板部にビスまたは釘を打つ為の固定用の穴を設けても良い。
【００１４】
本請求項２に記載の考案は、請求項1に記載の土台水切り用エンドキャップであり、上記固定板部と上記被覆部は連接一体化されており、土台水切りのほぼ側面視形状に形成されている事を特徴とする。
本考案の形状は、土台水切りの形状により異なる。
建築物の構造躯体に固定される背板部と、該背板部の下端より前方斜め下方に屈曲した水切り板部と、該水切り板部の前端部から下方に屈曲した前板部とから成る、水平方向に長い土台水切りの場合、本考案による土台水切り用エンドキャップとしては、固定板部は平板形状であり、被覆部は、土台水切りの水切り板部に沿って該固定板部の下端から斜め前下方に延びた水切り面部と、該水切り面部の前端部から上記土台水切りの前板部に沿って下方に延びた前面部と、該水切り面部と該前面部の端部と繋がっており、かつ、側面視で該土台水切りの該水切り板部、該前板部と土台により形成される開口部を覆う被覆面部とを有し、前面部の対向面には面部を有さず、該固定板部と該被覆部が連接一体化している形状などがある。
背板部と、水切り板部と、前板部と、該前板部の下端部から土台に向かって延びたカバー板部とから成る土台水切りの場合、本考案による土台水切り用エンドキャップとしては、固定板部は平板形状であり、被覆部は、水切り面部と、前面部と、該前面部の下端部から上記土台水切りのカバー板部に沿って土台にまで延びた底面部と、該水切り面部、該前面部、該底面部の端部と繋がっており、かつ、側面視で該土台水切りの該水切り板部、該前板部、該カバー板部と土台により形成される開口部を覆う被覆面部とを有し、前面部の対向面には面部を有さず、該固定板部と該被覆部が連接一体化している形状などがある。
背板部と、水切り板部と、前板部と、カバー板部と、該前板部と該カバー板部の間に形成された化粧板部とから成る土台水切りの場合、本考案による土台水切り用エンドキャップとしては、固定板部は平板形状であり、被覆部は、水切り面部と、該水切り面部の前端部から上記土台水切りの前板部と化粧板部に沿って下方に延びた前面部と、底面部と、該水切り面部、該前面部、該底面部の端部と繋がっており、かつ、側面視で該土台水切りの該水切り板部、該前板部、該化粧板部、該カバー板部と土台により形成される開口部を覆う被覆面部とを有し、前面部の対向面には面部を有さず、該固定板部と該被覆部が連接一体化している形状などがある。
背板部と、水切り板部と、前板部と、該背板部から前方へ立設され胴縁等の下地材、留め付け金具或いはスターター金具を支承するための支承板部とから成る土台水切りの場合、本考案による土台水切り用エンドキャップとしては、固定板部は該支承板部に沿って前方に突出した突出部を形成し、被覆部は、水切り面部と、前面部と、被覆面部とを有し、前面部の対向面には面部を有さず、該固定板部と該被覆部が連接一体化している形状などがある。
本考案の形状を有する事により、様々な形状の土台水切りに土台水切り用エンドキャップを前面から取り付ける事ができると共に、土台水切りの側端部に形成される開口部を確実に覆う事が可能になる。
【００１５】
本請求項３に記載の考案は、請求項２に記載の土台水切り用エンドキャップであり、上記固定板部の下端近傍部に水平方向に走る分離用溝部が形成されている事を特徴とする。
本考案の形状を有する事により、分離用溝部に切削具を沿わせて切断する事により、土台水切り用エンドキャップを被覆部とそれ以外の部分とに２分割する事ができるので、外壁材を施工した後の土台水切りに被覆部を取り付ける事が可能となる。また、土台水切り用エンドキャップの突出部が、土台水切りの支承板部、留め付け金具又はスターター金具等に適用不可な場合でも、土台水切り用エンドキャップを２分割する事で、被覆部のみを取り付ける事が可能となる。
【００１６】
本請求項４に記載の考案は、請求項３に記載の土台水切り用エンドキャップであり、上記固定板部は上記分離用溝部に沿って切断可能なように樹脂で形成されている事を特徴とする。
樹脂としては、アクリロニトリルーブタジエンースチレン共重合体樹脂（ABS樹脂）、アクリロニトリルーエチレン・プロピレンゴムースチレン共重合体樹脂（AES樹脂）、塩化ビニル樹脂、アクリロニトリルースチレンーアクリレートゴム共重合体樹脂（ASA樹脂）、シリコン系複合ゴムーアクリロニトリルースチレン共重合体樹脂（SAS樹脂）、スチレンーメタクリレート共重合体樹脂（MS樹脂）、アクリロニトリルースチレン共重合体樹脂（AS樹脂）等がある。
樹脂で形成する事により、分離用溝部にカッター等の切削具を沿わせて切り込みをつけた後、力を加える事により、土台水切り用エンドキャップを被覆部とそれ以外の部分とに容易に２分割する事ができる。そのため、外壁材を施工した後の土台水切りや、土台水切り用エンドキャップの突出部が土台水切りの支承板部、留め付け金具又はスターター金具等に適用不可な場合でも、土台水切り用エンドキャップの被覆部のみを取り付ける事が可能となる。
【００１７】
本請求項５に記載の考案は、建築物の土台部施工構造であり、建築物の土台部に土台水切りと請求項１乃至４のいずれか１項に記載の土台水切り用エンドキャップとが配設されており、上記土台水切りの背板部の側端部近傍に上記土台水切り用エンドキャップの固定板部が配されており、上記土台水切り用エンドキャップの被覆部が上記土台水切りの側端部に形成される開口部を閉塞させており、上記土台水切り用エンドキャップはビスまたは釘が打ち込まれて上記土台水切りに固定されている事を特徴とする。
本考案では、請求項１乃至４のいずれか１項に記載の土台水切り用エンドキャップが用いられており、土台水切り用エンドキャップを前面から取り付ける事ができると共に、土台水切りの側端部に形成される開口部は確実に閉塞される。
土台水切り用エンドキャップを固定するビスまたは釘の位置は固定板部である。土台水切りの背板部に配された土台水切り用エンドキャップの固定板部にビスまたは釘が打ち込まれている事により、該土台水切りと該土台水切り用エンドキャップは安定して固定し続ける事が可能となり、長期に渡り土台水切りの側面が保護される。
【００１８】
本請求項６に記載の考案は、建築物の土台部施工構造であり、建築物の土台部に土台水切りが配設されており、請求項３又は４に記載の土台水切り用エンドキャップが固定板部に設けた分離用溝部で２分割されて、該土台水切り用エンドキャップの被覆部が上記土台水切りの側端部に形成される開口部を閉塞させており、上記土台水切り用エンドキャップの被覆部が接着剤により上記土台水切りに固定されている事を特徴とする。
本考案では、請求項３又は４に記載の土台水切り用エンドキャップが用いられており、土台水切り用エンドキャップを被覆部とそれ以外の部分とに２分割する事ができるので、被覆部のみを前面から取り付ける事ができると共に、土台水切りの側端部に形成される開口部は確実に閉塞される。
土台水切り用エンドキャップの被覆部は土台水切りと接着剤により固定されているので、被覆部が土台水切りに安定して固定し続ける事が可能となり、長期に渡り土台水切りの側面が保護される。
本考案は、土台水切りを建築物土台部に取り付け、更に、外壁板を施工した後でも適用が可能であり、施工作業の利便性が大きくなる。
【考案の効果】
【００１９】
本考案によれば、外壁材を支持する機能と鼠等の小動物の侵入を防ぐ機能とを有した土台水切りの側面をカバーし、外観の向上、怪我の防止、水や小動物の侵入を防止する事ができる。
【００２０】
また、本考案による土台水切り用エンドキャップは土台水切りの正面から取り付ける事が可能な形状なので、土台水切りを建築物土台部に取り付けた後でも土台水切り用エンドキャップを取り付けることが可能である。
【００２１】
更に、本考案によれば、土台水切り用エンドキャップは分離用溝部を有しているので被覆部とそれ以外の部分とに２分割する事が可能であり、土台水切りを建築物土台部に取り付け、更に、外壁板を施工した後でも土台水切り用エンドキャップを取り付ける事が可能である。
【００２２】
そのため、従来のように、土台水切りを建築土台部に取り付ける前に土台水切り用エンドキャップを取り付ける必要が無く、施工作業の利便性が大きくなる。
【００２３】
また、土台水切り用エンドキャップの突出部が、土台水切りの支承板部、留め付け金具又はスターター金具等の外壁材を係止する部分に適用不可な場合でも、土台水切り用エンドキャップを２分割する事で、被覆部のみを取り付ける事が可能である。
【００２４】
更に、ねじ、釘又は接着剤により土台水切り用エンドキャップを土台水切りに固定することが可能であり、土台水切りと土台水切り用エンドキャップの固定力は確実に向上し、長期に渡り、安定する。
【考案を実施するための最良の形態】
【００２５】
以下、図面を参照しながら本考案を実施するための最良の形態について詳細に説明する。
【実施例】
【００２６】
図１は、図２０に記載の外壁材を支持する機能と鼠等の小動物の侵入を防ぐ機能とを有した土台水切りＢ３に対して用いられる、本考案かかる土台水切り用エンドキャップの一実施例Ａ３を示した図である。(a)、(b)、(c)、(d)、(e)、(f)、(g)、(h)はそれぞれ、該土台水切りエンドキャップＡ３の正面図、正面斜め右からの斜視図、右側面図、背面斜め右からの斜視図、背面図、背面斜め左からの斜視図、左側面図、固定板部付近の拡大図を示している。
上記土台水切り用エンドキャップＡ３は、上記土台水切りＢ３の背板部１０１の側端部近傍に固定される固定板部２と、該固定板部２内で前方に突出した突出部３と、該固定板部２より斜め下方に形成され、上記土台水切りＢ３の側端部に形成される開口部を覆う閉塞させる被覆部１とを備えている。上記固定板部２は固定用の穴４と水平方向に直線状の分離用溝部５を有し、上記突出部３は土台水切りＢ３に取り付けた際に、土台水切りＢ３の支承板部１０５の外周に沿う形状である。上記被覆部１は、上記固定板部２の下端部より上記土台水切りＢ３の水切り板部１０２に沿って斜め前下方に延びた水切り面部１aと、該水切り面部１aの前端部から上記土台水切りＢ３の前板部１０３と化粧板部１０６に沿って下方に延びた前面部１bと、該前面部１bの下端部から背面側（躯体側）に向かって土台にまで延びた底面部１cと、該水切り面部１a、該前面部１bと該底面部１cの端部と繋がっており、かつ、上記土台水切りＢ３の水切り板部１０２、前板部１０３、化粧板部１０６と土台により形成された開口部を覆う被覆面部１dを有し、該前面部１bの内側に突起部１eを有し、前面部１bの対向面には面部を有さない。上記土台水切り用エンドキャップはAES樹脂で形成されている。
上記土台水切り用エンドキャップＡ３は上記土台水切りＢ３の側面に配置するのだが、上記形状を有する事により、上記土台水切りＢ３に正面から取り付ける事が可能である。
そして、上記土台水切り用エンドキャップＡ３を上記土台水切りＢ３の側面に配置する事により、上記土台水切りＢ３の側面をカバーし、外観の向上、怪我の防止、水や小動物の侵入を防止する事が可能である。
また、上記土台水切り用エンドキャップＡ３は上記前面部１bの内側に上記突起部１eを有するので、取り付け後は上記突起部１eが上記土台水切りＢ３の前板部１０３と化粧板部１０６により係止され、上記土台水切り用エンドキャップＡ３が上記土台水切りＢ３から外れにくくなる。更に、上記固定板部２に固定用の穴４を有するので、上記土台水切り用エンドキャップＡ３を上記土台水切りＢ３の側面に配置した状態で、上記固定板部２の固定用の穴４を通してビス又は釘Ｃを構造躯体に打ち込む事により、上記土台水切りＢ３の側面をカバーした状態で、長期に渡り、安定して固定する事が可能である。
更に、上記固定板部２には水平方向に直線状の分離用溝部５が設けてあり、かつ、樹脂で形成されているため、該分離用溝部５にカッター等を沿わせて切り込みをつけた後、力を加える事により、上記土台水切り用エンドキャップＡ３を上記被覆部１とそれ以外の部分とに容易に２分割する事ができる。そのため、上記被覆部１のみを使用する事ができるので、上記土台水切りＢ３を建築物土台部に取り付け、更に、外壁板Dを施工した後でも上記土台水切り用エンドキャップＡ３を取り付ける事が可能である。また、上記被覆部１のみであれば、上記土台水切りＢ３以外の土台水切りにも適用する事が可能である。
【００２７】
図２は、図２０の土台水切りＢ３に用いられる、本考案にかかる土台水切り用エンドキャップの他の実施例Ａ４を示した図である。(a)、(b)、(c)、(d)、(e)、(f)、(g)、(h)はそれぞれ、該土台水切りエンドキャップＡ４の正面図、正面斜め右からの斜視図、右側面図、背面斜め右からの斜視図、背面図、背面斜め左からの斜視図、左側面図、固定板部付近の拡大図を示している。
上記土台水切り用エンドキャップＡ４は図１の土台水切り用エンドキャップＡ３と違い、固定板部２に分離用溝部５を設けていない。そのため、上記土台水切り用エンドキャップＡ４を容易に被覆部１とそれ以外の部分とに２分割する事ができないが、他は図１の土台水切り用エンドキャップＡ３と同じであるので、図１の土台水切り用エンドキャップＡ３と同様に上記土台水切りＢ３に正面から取り付ける事が可能であり、図２０の土台水切りＢ３の側面をカバーし、外観の向上、怪我の防止、水や小動物の侵入を防止する事ができる。
また、上記土台水切り用エンドキャップＡ４は、前面部１bの内側に設けた突起部１eが上記土台水切りＢ３の前板部１０３と化粧板部１０６により係止される事と、固定板部２に設けた固定用の穴４を通してビス又は釘Ｃを構造躯体に打ち込む事とにより、土台水切りＢ３に安定して固定する事が可能である。
【００２８】
図３は、図２０の土台水切りＢ３に用いられる、本考案にかかる土台水切り用エンドキャップの他の実施例Ａ５を示した図である。(a)、(b)、(c)、(d)、(e)、(f)、(g)、(h)はそれぞれ、該土台水切りエンドキャップＡの正面図、正面斜め右からの斜視図、右側面図、背面斜め右からの斜視図、背面図、背面斜め左からの斜視図、左側面図、固定板部付近の拡大図を示している。
上記土台水切り用エンドキャップＡ５は図１の土台水切り用エンドキャップＡ３と違い、固定板部２に固定用の穴４を有さない。そのため、上記土台水切り用エンドキャップＡ５はビス又は釘Ｃにより土台水切りＢ３に固定する事ができないが、土台水切りＢ３と接触する部分に接着剤を塗布して乾燥させる事により、土台水切りＢ３に確実に固定する事が可能である。なお、他は図１の土台水切り用エンドキャップＡ３と同じであるので、図１の土台水切り用エンドキャップＡ３と同様に上記土台水切りＢ３の正面から取り付ける事が可能であり、図２０の土台水切りＢ３の側面をカバーし、外観の向上、怪我の防止、水や小動物の侵入を防止する事ができる。更に、上記前面部１bの内側に設けた突起部１eが上記土台水切りＢ３の前板部１０３と化粧板部１０６により係止されるので、上記土台水切り用エンドキャップＡが上記土台水切りＢから外れにくい。
また、上記土台水切り用エンドキャップＡ５も固定板部２に分離用溝部５が設けてあり、かつ、樹脂で形成されているため、上記土台水切り用エンドキャップＡ５を被覆部１とそれ以外の部分とに容易に２分割する事ができ、上記土台水切りＢ３を建築物土台部に取り付け、更に、外壁板Dを施工した後でも上記土台水切り用エンドキャップＡ５を取り付ける事や上記土台水切りＢ３以外の土台水切りにも適用する事が可能である。
【００２９】
図４は、図２０の土台水切りＢ３に用いられる、本考案にかかる土台水切り用エンドキャップの他の実施例Ａ６を示した図である。(a)、(b)、(c)、(d)、(e)、(f)、(g)、(h)はそれぞれ、該土台水切りエンドキャップＡ６の正面図、正面斜め右からの斜視図、右側面図、背面斜め右からの斜視図、背面図、背面斜め左からの斜視図、左側面図、固定板部付近の拡大図を示している。
上記土台水切り用エンドキャップＡ６は図３の土台水切り用エンドキャップＡ５と違い、固定板部２に分離用溝部５を設けていない。そのため、上記土台水切り用エンドキャップＡ６を容易に被覆部１とそれ以外の部分とに２分割する事ができないが、他は図３の土台水切り用エンドキャップＡ５と同じであるので、図３の土台水切り用エンドキャップＡ５と同様に上記土台水切りＢ３の正面から取り付け、確実に固定する事が可能であり、図２０の土台水切りＢ３の側面をカバーし、外観の向上、怪我の防止、水や小動物の侵入を防止する事ができる。
【００３０】
図５は、図２０の土台水切りＢ３に用いられる、本考案にかかる土台水切り用エンドキャップの他の実施例Ａ７を示した図である。(a)、(b)、(c)、(d)、(e)、(f)、(g)はそれぞれ、該土台水切りエンドキャップＡ７の正面図、正面斜め右からの斜視図、右側面図、背面斜め右からの斜視図、背面図、背面斜め左からの斜視図、左側面図を示している。
上記土台水切り用エンドキャップＡ７は図１の土台水切り用エンドキャップＡ３と違い、固定板部２に突出部３と分離用溝部５とを有さない。しかし、被覆部１は図１の土台水切り用エンドキャップＡ３と同じであり、かつ、上記固定板部２の垂直方向の長さは、土台水切りＢ３の支承板部１０５と水切り板部１０２の間に収まる長さであるため、図１の土台水切り用エンドキャップＡ３と同様に上記土台水切りＢ３の正面から取り付ける事が可能であり、図２０の土台水切りＢ３の側面をカバーし、外観の向上、怪我の防止、水や小動物の侵入を防止する事ができる。
また、上記土台水切り用エンドキャップＡ７も前面部１bの内側に突起部１eを有するので、該突起部１eが上記土台水切りＢ３の前板部１０３と化粧板部１０６により係止され、上記土台水切り用エンドキャップＡ７が上記土台水切りＢ３から外れにくい。更に、上記土台水切り用エンドキャップＡ７は上記固定板部２が小さいため、上記土台水切りＢ３を建築物土台部に取り付け、更に、外壁板Dを施工した後でも上記土台水切り用エンドキャップＡ７を取り付ける事や上記土台水切りＢ３以外の土台水切りにも適用する事が可能である。
【００３１】
なお、上記してきた実施例はいずれも図２０の土台水切りＢ３に用いる土台水切り用エンドキャップＡ３〜Ａ７であり、土台水切りＢ３が前板部１０３の下方に化粧板部１０６を有するため、土台水切り用エンドキャップＡ３〜Ａ７の前面部１bが土台水切りＢ３の前板部１０３と化粧板部１０６の形状に沿った段差を有する形状である。しかし、土台水切りＢ３が化粧板部１０６を有さず前板部１０３のみの場合、土台水切り用エンドキャップＡ３〜Ａ７の前面部１bは前板部１０３の形状に沿った形状とする事により上記実施例を適用する事は可能である。
化粧板部１０６を有さず前板部１０３のみの土台水切りＢ３に実施した、図１の土台水切り用エンドキャップＡ３の変形例Ａ８を図６に示す。(a)、(b)、(c)、(d)、(e)、(f)、(g)、(h)はそれぞれ、該土台水切りエンドキャップＡ８の正面図、正面斜め右からの斜視図、右側面図、背面斜め右からの斜視図、背面図、背面斜め左からの斜視図、左側面図、固定板部付近の拡大図を示している。
【００３２】
また、本考案は図１４と図１７に示した胴縁等の下地材、留め付け金具或いはスターター金具を支承するための支承板部１０５を有さない土台水切りＢ１、Ｂ２に対しても適用が可能である。図７は、図１４と図１７の土台水切りＢ１、Ｂ２に用いられる、本考案による土台水切り用エンドキャップの一実施例Ａ９を示した図である。(a)、(b)、(c)、(d)、(e)、(f)、(g)、(h)はそれぞれ、該土台水切りエンドキャップＡ９の正面図、正面斜め右からの斜視図、右側面図、背面斜め右からの斜視図、背面図、背面斜め左からの斜視図、左側面図、固定板部付近の拡大図を示している。
図１４と図１７の土台水切りＢ１、Ｂ２は背板部１０１に支承板部１０５を有さないため、上記土台水切り用エンドキャップＡ９は図１の土台水切り用エンドキャップＡ３と違い、突出部３と突起部１eを有さない。しかし、他は図１の土台水切り用エンドキャップＡ３と同じであるため、図１の土台水切り用エンドキャップＡ３と同様に上記土台水切りＢ１、Ｂ２の正面から取り付ける事が可能であり、被覆部１により土台水切りＢ１、Ｂ２の側面をカバーし、外観の向上、怪我の防止、水や小動物の侵入を防止する事が可能である。
また、上記土台水切り用エンドキャップＡ９も固定板部２に設けた固定用の穴４を通してビス又は釘Ｃを構造躯体に打ち込む事により、土台水切りＢ１、Ｂ２に安定して固定する事が可能である。
更に、上記土台水切り用エンドキャップＡ９は固定板部２に分離用溝部５が設けてあり、かつ、樹脂で形成されているため、上記土台水切り用エンドキャップＡ９を上記被覆部１とそれ以外の部分とに容易に２分割する事ができる。そのため、上記土台水切りＢ１、Ｂ２を建築物土台部に取り付け、更に、外壁板Dを施工した後でも上記土台水切り用エンドキャップＡ９を取り付ける事や上記土台水切りＢ１、Ｂ２以外の土台水切りにも適用する事が可能である。
【００３３】
次に、本考案にかかる土台部施工構造について説明する。
【００３４】
図８は、図１の土台水切り用エンドキャップＡ３を図２０の土台水切りＢ３に取り付けた、本考案にかかる土台部施工構造の一実施例を示した図である。
上記土台水切り用エンドキャップＡ３は、前面部１bの内側に設けた突起部１eが上記土台水切りＢ３の前板部１０３と化粧板部１０６により係止される事と、固定板部２に設けた固定用の穴を通してビス又は釘Ｃが構造躯体に打ち込まれる事とにより、上記土台水切りＢ３に安定して固定されている。
上記土台水切り用エンドキャップＡ３の取り付けは、上記土台水切りＢ３を建築土台部に取り付けた後に行う。
図２の土台水切り用エンドキャップＡ４を図２０の土台水切りＢ３に取り付けた場合も同じ土台部施工構造である。
【００３５】
図９は、図２０の土台水切りＢ３を建築物土台部に取り付け、更に、外壁板Dを施工した後で、図１の土台水切り用エンドキャップＡ３を土台水切りＢ３に取り付けた、本考案にかかる土台部施工構造の一実施例を示した図である。
この場合には、上記土台水切り用エンドキャップＡ３は、分離用溝部５にカッター等を沿わせて切り込みをつけた後、力を加える事により上記土台水切り用エンドキャップＡを被覆部１とそれ以外の部分とに２分割され、該被覆部１のみが土台水切りＢ３に取り付けられている。
上記被覆部１は、前面部１bの内側に設けた突起部１eが上記土台水切りＢ３の前板部１０３と化粧板部１０６により係止される事と、取り付ける際に上記土台水切りＢ３と接触する部分に接着剤を塗布して乾燥させる事とにより、上記土台水切りＢ３に確実に固定されている。
図２０の土台水切りＢ３を建築物土台部に取り付け、更に、外壁板Dを施工した後で図３の土台水切り用エンドキャップＡ５を土台水切りＢ３に取り付けた場合も同じ土台部施工構造である。
【００３６】
図１０は、図３の土台水切り用エンドキャップＡ５を図２０の土台水切りＢ３に取り付けた、本考案にかかる土台部施工構造の一実施例を示した図である。
上記土台水切り用エンドキャップＡ５の取り付け作業は、上記土台水切りＢ３を建築土台部に取り付ける前後のどちらでも可能である。
上記土台水切り用エンドキャップＡ５は、前面部１bの内側に設けた突起部１eが上記土台水切りＢ３の前板部１０３と化粧板部１０６により係止される事と、取り付ける際に上記土台水切りＢ３と接触する部分に接着剤を塗布して乾燥させる事とにより、上記土台水切りＢ３に確実に固定されている。
図４の土台水切り用エンドキャップＡ６を図２０の土台水切りＢ３に取り付けた場合も同じ土台部施工構造である。
【００３７】
図１１は、図５の土台水切り用エンドキャップＡ７を図２０の土台水切りＢ３に取り付けた、本考案にかかる土台部施工構造の一実施例を示した図である。
上記土台水切り用エンドキャップＡ７は、前面部１bの内側に設けた突起部１eが上記土台水切りＢ３の前板部１０３と化粧板部１０６により係止される事と、固定板部２に設けた固定用の穴４を通してビス又は釘Ｃが構造躯体に打ち込まれる事とにより、上記土台水切りＢ３に安定して固定されている。
上記土台水切り用エンドキャップＡ７の取り付けは、上記土台水切りＢ３を建築土台部に取り付けた後が望ましいが、上記土台水切りＢ３を建築物土台部に取り付け、更に、外壁板Dを施工した後でも可能である。
【００３８】
図１２は、図７の土台水切り用エンドキャップＡ９を図１４の土台水切りＢ１に取り付けた、本考案にかかる土台部施工構造の一実施例を示した図である。
上記土台水切り用エンドキャップＡ９は、固定板部２に設けた固定用の穴４を通してビス又は釘Ｃが構造躯体に打ち込まれる事により、上記土台水切りＢ１に安定して固定されている。
上記土台水切り用エンドキャップＡ９の取り付けは、上記土台水切りＢ１を建築土台部に取り付けた後に行う。
図７の土台水切り用エンドキャップＡ９を図１７の土台水切りＢ２に取り付けた場合も同じ土台部施工構造である。
【００３９】
図１３は、図１４の土台水切りＢ１を建築物土台部に取り付け、更に、外壁板Dを施工した後で、図７の土台水切り用エンドキャップＡ９を土台水切りＢ１に取り付けた、本考案にかかる土台部施工構造の一実施例を示した図である。
この場合には、上記土台水切り用エンドキャップＡ９は、分離用溝部５にカッター等を沿わせて切り込みをつけた後、力を加える事により、上記土台水切り用エンドキャップＡ９を被覆部１とそれ以外の部分とに２分割し、該被覆部１のみが土台水切りＢ１に取り付けられている。
また、上記被覆部１は、取り付ける際に上記土台水切りＢ１と接触する部分に接着剤を塗布して乾燥させる事により、上記土台水切りＢ１に確実に固定されている。
図１７の土台水切りＢ２を建築物土台部に取り付け、更に、外壁板Dを施工した後で図７の土台水切り用エンドキャップＡ９を土台水切りＢ２に取り付けた場合も同じ土台部施工構造である。
また、図１４又は図１７の土台水切りＢ１、Ｂ２を建築物土台部に取り付け、更に、外壁板Dを施工した後で図６の土台水切り用エンドキャップＡ８を土台水切りＢ１、Ｂ２に取り付けた場合も同じ土台部施工構造である。
【００４０】
なお、本考案は上記実施例に限定されるものではない。
また、上記実施例は全て、正面から見て土台水切りの右側に土台水切り用エンドキャップを適用する場合について述べたが、被覆部の形状を左右反転させる事により、土台水切りの左側にも適用する事が可能である。
【産業上の利用可能性】
【００４１】
以上説明したように、本考案によれば、外壁材を支持する機能と鼠等の小動物の侵入を防ぐ機能とを有した土台水切りをも含む、様々な形状の土台水切りの側面を確実に閉塞する事が可能である。
【００４２】
また、ねじ、釘又は接着剤により土台水切り用エンドキャップを土台水切りに固定する事で、土台水切りと土台水切り用エンドキャップの固定力は向上し、長期に渡り、安定する。
【００４３】
更に、土台水切りを建築物土台部に取り付けた後や、更に外壁板を施工した後でも、土台水切り用エンドキャップを取り付けることが可能であり、施工作業の利便性が拡がり、作業性が向上する。
【００４４】
更に、土台水切り用エンドキャップの突出部が、土台水切りの支承板部、留め付け金具又はスターター金具等に適用不可な場合でも、土台水切り用エンドキャップを被覆部とそれ以外の部分とに２分割する事で、被覆部のみを取り付ける事が可能である。
【図面の簡単な説明】
【００４５】
【図１】本考案にかかる土台水切り用エンドキャップの一実施例を示す図である。
【図２】本考案にかかる土台水切り用エンドキャップの他の実施例を示す図である。
【図３】本考案にかかる土台水切り用エンドキャップの他の実施例を示す図である。
【図４】本考案にかかる土台水切り用エンドキャップの他の実施例を示す図である。
【図５】本考案にかかる土台水切り用エンドキャップの他の実施例を示す図である。
【図６】図１に示す土台水切り用エンドキャップの変形例を示す図である。
【図７】本考案にかかる土台水切り用エンドキャップの他の実施例を示す図である。
【図８】図１に示す土台水切り用エンドキャップを土台水切りに取り付けた、本考案にかかる土台部施工構造の一実施例を示す図である
【図９】図１に示す土台水切り用エンドキャップを、外壁板を施工した後の土台水切りに取り付けた、本考案にかかる土台部施工構造の一実施例を示す図である。
【図１０】図３に示す土台水切り用エンドキャップを土台水切りに取り付けた、本考案にかかる土台部施工構造の一実施例を示した図である。
【図１１】図５に示す土台水切り用エンドキャップを土台水切りに取り付けた、本考案にかかる土台部施工構造の一実施例を示した図である。
【図１２】図７に示す土台水切り用エンドキャップを土台水切りに取り付けた、本考案にかかる土台部施工構造の一実施例を示した図である。
【図１３】図７に示す土台水切り用エンドキャップを、外壁板を施工した後の土台水切りに取り付けた、本考案にかかる土台部施工構造の一実施例を示す図である。
【図１４】土台水切りの従来例を示した図である。
【図１５】図１４に示す土台水切りに用いられる従来の土台水切り用エンドキャップの一例を示す図である。
【図１６】図１５に示す土台水切り用エンドキャップを、図１４に示す土台水切りに取り付けた土台部施工構造を示す図である。
【図１７】鼠等の小動物の侵入を防ぐ機能を有した従来の土台水切りの一例を示した図である。
【図１８】図１７に示す土台水切りに用いられる従来の土台水切り用エンドキャップの一例を示す図である。
【図１９】図１８に示す土台水切り用エンドキャップを、図１７に示す土台水切りに取り付けた土台部施工構造を示す図である。
【図２０】外壁材を支持する機能と鼠等の小動物の侵入を防ぐ機能とを有した従来の土台水切りの一例を示した図である。
【符号の説明】
【００４６】
Ａ１〜Ａ９    土台水切り用エンドキャップ
Ｂ１〜Ｂ３    土台水切り
Ｃ    釘又はビス
D    外壁材
１    被覆部
１a    水切り面部
１b    前面部
１c    底面部
１d    被覆面部
１e    突起部
２    固定板部
３    突出部
４    固定用の穴
５    分離用溝部
１０１    土台水切りの背板部
１０２    土台水切りの水切り板部
１０３    土台水切りの前板部
１０４    土台水切りのカバー板部
１０５    土台水切りの支承板部
１０６    土台水切りの化粧板部
１０７    土台水切りのカバー部材
２０１    従来の土台水切り用エンドキャップの水切り外板
２０２    従来の土台水切り用エンドキャップの水切り内板
２０３    従来の土台水切り用エンドキャップの垂下外板
２０４    従来の土台水切り用エンドキャップの垂下内板
２０５    従来の土台水切り用エンドキャップのキャップ板部
２０６    従来の土台水切り用エンドキャップの土台水切りの差し込み部
２０７    従来の土台水切り用エンドキャップの土台水切りのカバー部
【図１】
0003127940.tif 000003
【図２】
0003127940.tif 000004
【図３】
0003127940.tif 000005
【図４】
0003127940.tif 000006
【図５】
0003127940.tif 000007
【図６】
0003127940.tif 000008
【図７】
0003127940.tif 000009
【図８】
0003127940.tif 000010
【図９】
0003127940.tif 000011
【図１０】
0003127940.tif 000012
【図１１】
0003127940.tif 000013
【図１２】
0003127940.tif 000014
【図１３】
0003127940.tif 000015
【図１４】
0003127940.tif 000016
【図１５】
0003127940.tif 000017
【図１６】
0003127940.tif 000018
【図１７】
0003127940.tif 000019
【図１８】
0003127940.tif 000020
【図１９】
0003127940.tif 000021
【図２０】
0003127940.tif 000022
【手続補正書】
【提出日】平成18年10月23日(2006.10.23)
【手続補正１】
【補正対象書類名】実用新案登録請求の範囲
【補正対象項目名】全文
【補正方法】変更
【補正の内容】
【実用新案登録請求の範囲】
【請求項１】
土台水切りの側端部近傍に配される固定板部と、該土台水切りの側端部に形成される開口部を閉塞させる被覆部とから成る土台水切り用エンドキャップ。
【請求項２】
請求項1に記載の土台水切り用エンドキャップであり、
上記固定板部と上記被覆部は連接一体化されており、土台水切りのほぼ側面視形状に形成されている土台水切り用エンドキャップ。
【請求項３】
請求項２に記載の土台水切り用エンドキャップであり、
上記固定板部の下端近傍部に水平方向に走る分離用溝部が形成されている土台水切り用エンドキャップ。
【請求項４】
請求項３に記載の土台水切り用エンドキャップであり、
上記固定板部は上記分離用溝部に沿って切断可能なように樹脂で形成されている土台水切り用エンドキャップ。
【請求項５】
建築物の土台部に土台水切りと請求項１乃至４のいずれか１項に記載の土台水切り用エンドキャップとが配設されており、
上記土台水切りの背板部の側端部近傍に上記土台水切り用エンドキャップの固定板部が配されており、
上記土台水切り用エンドキャップの被覆部が上記土台水切りの側端部に形成される開口部を閉塞させており、
上記土台水切り用エンドキャップはビスまたは釘が打ち込まれて上記土台水切りに固定されている建築物の土台部施工構造。
【手続補正２】
【補正対象書類名】明細書
【補正対象項目名】００１８
【補正方法】変更
【補正の内容】
【００１８】
また、本考案の土台水切り用エンドキャップを用いた建築物の土台部施工構造として、建築物の土台部に土台水切りが配設されており、請求項３又は４に記載の土台水切り用エンドキャップが固定板部に設けた分離用溝部で２分割されて、該土台水切り用エンドキャップの被覆部が上記土台水切りの側端部に形成される開口部を閉塞させており、上記土台水切り用エンドキャップの被覆部が接着剤により上記土台水切りに固定されている建築物の土台部施工構造もある。
本考案の請求項３又は４に記載の土台水切り用エンドキャップは、土台水切り用エンドキャップを被覆部とそれ以外の部分とに２分割する事ができるので、被覆部のみを前面から取り付ける事ができると共に、土台水切りの側端部に形成される開口部は確実に閉塞される。
土台水切り用エンドキャップの被覆部は土台水切りと接着剤により固定されているので、被覆部が土台水切りに安定して固定し続ける事が可能となり、長期に渡り土台水切りの側面が保護される。
請求項３又は４に記載の土台水切り用エンドキャップは、土台水切りを建築物土台部に取り付け、更に、外壁板を施工した後でも適用が可能であり、施工作業の利便性が大きくなる。